(57)【要約】【課題】取引者の要件との関連で市場データの操作者インターフェースを提供する、システム、プログラム可能なプロセッサをプログラムするコンピュータ・プログラム命令を記憶するコンピュータ可読媒体およびグラフィカル・ユーザー・インターフェースを提供する。【解決手段】レーダー表示を有する操作者インターフェースを提供するシステムがメモリおよびプロセッサを含む。メモリは取引者指定の要件を記憶する。プロセッサは、取引者指定の要件に対応する取引者要件のブロックを有するレーダー表示を生成する。プロセッサは市場データを受領し、各取引者指定要件について以下を実行する：市場データが取引者指定要件を満足する確率を決定し、市場データの円をレーダー表示上に表示する。ここで、市場データの円と取引者要件ブロックとの間の距離が確率を表す。【選択図】図２
2008226249.tif 000002
【特許請求の範囲】
【請求項１】
レーダー表示をもつ操作者インターフェースを提供するシステムであって：
一つまたは複数の取引者指定要件を記憶するよう動作できるメモリと；
プロセッサであって：
前記一つまたは複数の取引者指定要件に対応する取引者要件ブロックを含むレーダー表示を生成し；
市場データを受領し；
各取引者指定要件について：
前記市場データが取引者指定要件を満足させる確率を決定し；
前記レーダー表示上に市場データの円を、前記市場データの円と前記取引者要件ブロックとの間の距離が前記確率を表すように表示する
ことを実行するよう動作できるプロセッサ、
とを有するシステム。
【請求項２】
前記プロセッサがさらに：
前記一つまたは複数の取引者指定要件を表示するよう動作できる、
請求項１記載のシステム。
【請求項３】
前記一つまたは複数の取引者指定要件のうちの取引者指定要件が：
購入；
販売；
オファー；および
ビッド
のうちの少なくとも一つを実行することを指定するものである、請求項１または２に記載のシステム。
【請求項４】
前記レーダー表示がさらに：
一つまたは複数の距離線を含み、該一つまたは複数の距離線のうちの距離線は前記取引者要件ブロックからの特定の距離を表す、請求項１ないし３のうちいずれか一項記載のシステム。
【請求項５】
前記プロセッサがさらに：
前記取引者要件ブロックを、前記一つまたは複数の市場データの円のうちの少なくとも一つの市場データの円に対して動かすよう動作できる、
請求項１ないし４のうちいずれか一項記載のシステム。
【請求項６】
前記プロセッサがさらに：
市場データの円が少なくとも部分的に前記取引者要件ブロックに交わることを判定し；
該判定に応答して前記市場データの円に対応する取引を開始するよう動作できる、
請求項１ないし５のうちいずれか一項記載のシステム。
【請求項７】
前記プロセッサがさらに：
取引を開始する要求を受領し；
該要求に応答して前記取引を開始するよう動作できる、
請求項１ないし６のうちいずれか一項記載のシステム。
【請求項８】
コンピュータ・プログラム命令を記憶しているコンピュータ可読記憶媒体であって、該コンピュータ・プログラム命令は、プログラム可能プロセッサをして：
一つまたは複数の取引者指定要件に対応する取引者要件ブロックを含むレーダー表示を生成し；
市場データを受領し；
各取引者指定要件について：
前記市場データが取引者指定要件を満足させる確率を決定し；
前記レーダー表示上に市場データの円を、前記市場データの円と前記取引者要件ブロックとの間の距離が前記確率を表すように表示する
ことを実行するよう動作できるようになるようプログラムするものである、コンピュータ可読記憶媒体。
【請求項９】
前記プロセッサがさらに：
前記一つまたは複数の取引者指定要件を表示するよう動作できるようになるような、
請求項８記載のコンピュータ可読記憶媒体。
【請求項１０】
前記一つまたは複数の取引者指定要件のうちの取引者指定要件が：
購入；
販売；
オファー；および
ビッド
のうちの少なくとも一つを実行することを指定するものである、請求項８または９に記載のコンピュータ可読記憶媒体。
【請求項１１】
前記レーダー表示がさらに：
一つまたは複数の距離線を含み、該一つまたは複数の距離線のうちの距離線は前記取引者要件ブロックからの特定の距離を表す、請求項８ないし１０のうちいずれか一項記載のコンピュータ可読記憶媒体。
【請求項１２】
前記プロセッサがさらに：
前記取引者要件ブロックを、前記一つまたは複数の市場データの円のうちの少なくとも一つの市場データの円に対して動かすよう動作できるようになるような、
請求項８ないし１１のうちいずれか一項記載のコンピュータ可読記憶媒体。
【請求項１３】
前記プロセッサがさらに：
市場データの円が少なくとも部分的に前記取引者要件ブロックに交わることを判定し；
該判定に応答して前記市場データの円に対応する取引を開始するよう動作できるようになるような、
請求項８ないし１２のうちいずれか一項記載のコンピュータ可読記憶媒体。
【請求項１４】
前記プロセッサがさらに：
取引を開始する要求を受領し；
該要求に応答して前記取引を開始するよう動作できるようになるような、
請求項８ないし１３のうちいずれか一項記載のコンピュータ可読記憶媒体。
【請求項１５】
一つまたは複数の取引者指定要件に対応する取引者要件ブロックと；
各取引者指定要件についての市場データの円とを含んでおり、
市場データの円と取引者要件ブロックとの間の距離が、市場データが各取引者指定要件を満足させる確率を表す、
レーダー表示のためのグラフィカルユーザーインターフェース。
【請求項１６】
前記一つまたは複数の取引者指定要件をさらに含む、請求項１５記載のグラフィカルユーザーインターフェース。
【請求項１７】
一つまたは複数の距離線を含み、該一つまたは複数の距離線のうちの距離線は前記取引者要件ブロックからの特定の距離を表す、請求項１５または１６記載のグラフィカルユーザーインターフェース。
【請求項１８】
レーダー表示を生成するシステムであって：
一つまたは複数の取引者指定要件に対応する取引者要件ブロックを含むレーダー表示を生成する手段と；
市場データを受領する手段と；
各取引者指定要件について：
前記市場データが取引者指定要件を満足させる確率を決定し；
前記レーダー表示上に市場データの円を、前記市場データの円と前記取引者要件ブロックとの間の距離が前記確率を表すように表示する
ことを実行する手段、
とを有するシステム。
【請求項１９】
メモリおよびプロセッサを有するシステムであって：
前記メモリは：
一つまたは複数の取引者指定要件を記憶するよう動作でき、前記一つまたは複数の取引者指定要件のうちの取引者指定要件は：
購入；
販売；
オファー；および
ビッド
のうちの少なくとも一つを実行することを指定するものであり、
前記プロセッサは：
レーダー表示を生成し、ここで該レーダー表示は：
一つまたは複数の取引者指定要件に対応する取引者要件ブロック；および
一つまたは複数の距離線を含み、該一つまたは複数の距離線のうちの距離線は前記取引者要件ブロックからの特定の距離を表し；
前記一つまたは複数の取引者指定要件を表示し；
市場データを受領し；
各取引者指定要件について：
前記市場データが取引者指定要件を満足させる確率を決定し；
前記レーダー表示上に市場データの円を、前記市場データの円と前記取引者要件ブロックとの間の距離が前記確率を表すように表示する
ことを実行し；
前記取引者要件ブロックを、前記一つまたは複数の市場データの円のうちの少なくとも一つの市場データの円に対して動かし；
市場データの円が少なくとも部分的に前記取引者要件ブロックに交わることを判定し；
該判定に応答して前記市場データの円に対応する第一の取引を開始し、
第二の取引を開始する要求を受領し；
該要求に応答して前記第二の取引を開始する、
よう動作できる、
システム。
【発明の詳細な説明】
【技術分野】
【０００１】
本発明は、概括的には操作者インターフェース処理の分野に、より詳細には市場データのレーダー表示のための操作者インターフェースを提供するシステムに関する。
【背景技術】
【０００２】
近年、電子商取引システムは、商品、サービス、金融証券およびコモディティといった多様な品目の取引のために幅広く受け容れられるに至っている。たとえば、電子商取引システムは、株式、確定利付証券、通貨、先物契約、石油および金を取引するために使用されうる。
【０００３】
電子商取引システムは取引者〔トレーダー〕に情報を提供しうる。該情報を提供するためには特定の種類の表示が使用されうる。いくつかの事例では、ある種の表示は市場データとある取引者の取引要件との間の関係を示しうる。
【発明の開示】
【発明が解決しようとする課題】
【０００４】
本発明の目的は、取引者の要件との関連で市場データの操作者インターフェースを提供する、システム、プログラム可能なプロセッサをプログラムするコンピュータ・プログラム命令を記憶するコンピュータ可読媒体およびグラフィカル・ユーザー・インターフェースを提供することである。この目的は、独立請求項において定義される特徴によって達成できる。さらなる向上は従属請求項において特徴付けられる。本発明によれば、市場データが取引者指定の要件を満足できる確率を表示するための従来技術に付随する欠点および問題が軽減または解消されうる。
【課題を解決するための手段】
【０００５】
本発明のある実施形態によれば、レーダー表示を生成するシステムがメモリおよびプロセッサを含む。メモリは取引者指定の要件を記憶する。プロセッサは、取引者指定の要件に対応する取引者要件のブロックを有するレーダー表示を生成する。プロセッサは市場データを受領し、各取引者指定要件について以下を実行する：市場データが取引者指定要件を満足する確率を決定し、市場データの円をレーダー表示上に表示する。ここで、市場データの円と取引者要件ブロックとの間の距離が確率を表す。
【発明の効果】
【０００６】
本発明のある種の諸実施形態は一つまたは複数の技術的効果を提供しうる。ある実施形態の技術的効果は、レーダー表示が、市場データ（たとえば、ある株についての市場価格）が取引者によって指定された取引者指定要件（たとえば、取引者がその株を買う意思のある価格）を満足できる確率を示しうるというものでありうる。レーダー表示は、取引者指定要件を表す取引者要件ブロックおよび市場データを表す市場データの円を含みうる。市場データの円と取引者要件ブロックとの間の距離が、市場データが取引者指定要件を満足させることができる確率を示しうる。たとえば、市場データの円が取引者要件ブロックに近いほど確率が大きく、市場データの円が取引者要件ブロックから遠いほど確率が小さい。市場データの円が取引者要件ブロックに交わる場合、市場データは取引者指定要件を満たす。したがって、レーダー表示は、市場データが取引者指定要件を満足できる確率のグラフィックな表現を提供する。
【０００７】
ある実施形態のもう一つの技術的効果は、取引者がゲーム・コントローラ装置のボタンを押して取引を開始できるということでありうる。取引者は、市場データの円が取引者要件ブロックに交わるときに取引を開始しうる。市場データの円が取引者要件ブロックに交わらない場合、取引者はゲーム・コントローラ装置のジョイスティックを使って、取引者要件ブロックを市場データの円のほうに動かしてもよい。次いで取引者はボタンを押すことで取引を開始しうる。したがって、取引者は、レーダー表示に呈示された情報に基づいて容易に取引を開始しうる。
【０００８】
本発明のある種の諸実施形態は、上記の技術的効果の一つも含まないこともあれば、一部を含むこともあれば、全部を含むこともある。ここに含まれる図面、記述および請求項から、一つまたは複数の他の技術的効果が、当業者には容易に明らかでありうる。
【０００９】
本発明ならびにその特徴および効果のより完全な理解のために、ここで例として、付属の図面と一緒に参照すべき以下の記述を参照する。
【発明を実施するための最良の形態】
【００１０】
本発明の諸実施形態およびその効果は、図面の図１ないし図３を参照することによって最もよく理解される。さまざまな図面の同様および対応する部分には同様の符号を使う。
【００１１】
図１は、電子商取引システム１０および取引者２４のある実施形態を示している。システム１０は、図のように結合されたクライアント・システム１２、取引プラットフォーム１４およびネットワーク１６を含んでいる。クライアント・システム１２はインターフェース装置２８およびクライアント・プラットフォーム３４を含んでいる。インターフェース装置２８は、ゲーム・コントローラ装置３６およびレーダー表示６０を表示する表示装置３２を含む。
【００１２】
ある例では、取引者２４は取引のための要件を指定する。たとえば、取引者指定要件は、ある特定の取引商品を、市場価格が１株当たり5.00ドルであれば２株購入することを指定しうる。レーダー表示６０は、取引者指定要件を表す取引者要件ブロックを表示する。レーダー表示６０はまた、取引者指定要件の取引商品について市場データを表現する市場データの円を示しうる。例では、市場データは、取引商品についての１株当たりの市場価格を示しうる。
【００１３】
レーダー表示６０では、市場データの円と取引者要件ブロックとの間の距離が、市場データが取引者指定要件を満たすことができる確率を示す。今の例では、市場価格が１株当たり50.00ドルであれば、市場データの円は、取引者要件ブロックからより遠く離れていることができるが、市場価格が１株当たり5.50ドルであれば、市場データの円は取引者要件ブロックにより近いことがありうる。市場データの円が取引者要件ブロックに交わる場合、市場データは取引者指定要件の少なくとも一部分を満たす。今の例では、市場価格が１株当たり5.00ドル未満であれば、市場データの円は取引者指定要件に交わりうる。市場データが変わるにつれて、市場データの円はその変化を反映するよう動きうる。
【００１４】
取引者２４は、ゲーム・コントローラ装置３６のボタンを押して取引を開始しうる。取引者２４は、市場データの円が取引者指定要件に交わる場合に取引を開始しうる。市場データの円が取引者指定要件に交わらない場合、取引者２４はゲーム・コントローラ装置３６のジョイスティックを使って、取引者要件ブロックを市場データの円のほうに動かしてもよい。次いで取引者２４はボタンを押すことで取引を開始しうる。取引者要件ブロックを動かすことによって、取引者２４は、取引者２４が取引をするために満足させたい要件を変更しうる。
【００１５】
したがって、レーダー表示６０は、市場データが取引者指定要件を満足できる確率のグラフィックな表現を提供する。これにより、取引者２４は、市場データがトレーダー２４によって指定された要件を満足できるかどうかをより簡単に予測できるようになる。さらに、取引者２４は、ゲーム・コントローラ装置３６のボタンおよびジョイスティックを使って容易に取引を開始できる。
【００１６】
ある実施形態によれば、取引者２４は、取引注文１７を出すおよび／または取引注文１７に応じることができる、取引システム１０のユーザーを表しうる。取引者２４は、本人（principal）、本人に代わって行動する代理人、個人、法人（企業のような）または取引注文１７を出すおよび／または取引注文１７に応じることができる任意の機械もしくは機構を表しうる。
【００１７】
取引注文１７は、特定の取引商品の特定の量を購入または販売する注文を表しうる。取引商品とは、所与の取引注文１７の基礎をなす任意の好適な商品または商品の組み合わせを指しうる。取引商品の例は、任意の型の製品、サービス、金融証券、コモディティ、株、債券、確定利付証券、金利デリバティブ、通貨、先物契約、社債、オプション、証券、取引派生商品（derivative  trading  instruments）または他の任意の好適な商品もしくは商品の組み合わせを含みうる。
【００１８】
クライアント・システム１２は、取引プラットフォーム１４のような取引システム１０の一つまたは複数の要素にアクセスするために使用されうる任意の好適なエンドユーザー要素を表しうる。エンドユーザー要素の例としては、コンピュータ、ワークステーション、電話、インターネット・ブラウザ、電子ノートブック（electronic  notebook）、携帯情報端末（PDA）、ポケベルまたはシステム１０の他の構成要素とともに情報を受信し、処理し、記憶しおよび／または通信することのできる他の任意の好適な装置（無線式でもそうでなくても）が含まれる。
【００１９】
クライアント・システム１２は、インターフェース装置２８およびクライアント・プラットフォーム３４を含みうる。インターフェース装置２８は、有線および／または無線リンクを介してクライアント・プラットフォーム３４におよび／またはクライアント・プラットフォーム３４から信号を通信するよう動作しうる任意の好適な装置を表しうる。インターフェース装置２８の例は、入力装置、出力装置および／または入出力装置を含みうる。入力装置の例は、ゲーム・コントローラ装置３６、キーボード、マウス、マイクロホンおよび／または別のエンドユーザー要素を含む。ゲーム・コントローラ装置３６は、クライアント・プラットフォーム３４と通信する任意の好適な入力装置を表す。ゲーム・コントローラ装置３６の例は、ジョイスティックまたはゲームパッドのようなビデオ・ゲーム・コントローラを含む。出力装置の一例は、出力情報を表示６０に表示する表示装置３２を含む。表示装置３２の例は、コンピュータ・ディスプレイ、CRTモニタまたはテレビを含む。
【００２０】
クライアント・プラットフォーム３４は、図のように結合されたプロセッサ４６およびメモリ４８を含む。プロセッサ４６は、取引システム１０に関連するデータを処理することを含むここに記載される機能を実行するためのハードウェアおよび／またはソフトウェアの任意の好適な組み合わせを含む。前記処理することは、インターフェース・アプリケーション５０に関連するコーディングされた命令を実行することに関わりうる。
【００２１】
メモリ４８は、情報を記憶するおよび／または情報の取得を容易にする揮発性および／または不揮発性メモリの任意の好適な組み合わせを含む。図示した実施形態によれば、メモリ４８は、取引者指定要件４２およびインターフェース・アプリケーション５０を記憶する。ある実施形態によれば、取引者指定要件４２は、取引者２４にとっての取引戦略を定義するものでありうる。要件４２は、ある条件が満たされた場合に取るべき行動（取引をするなど）を指定しうる。たとえば、取引者指定要件４２は、ある取引商品を、市場価格が１株当たり5.00ドルであれば２株購入することを指定しうる。この例では、１株当たり5.00ドルである市場価格が取引者指定要件を満足することになる。要件４２の他の例は、図２を参照して述べる。
【００２２】
インターフェース・アプリケーション５０は、情報を受信および／または送信することをインターフェース装置２８に許容するアプリケーションを表しうる。たとえば、インターフェース・アプリケーション５０は、表示装置３２上に表示６０を生成するグラフィカル・ユーザー・インターフェース（GUI）アプリケーションを含みうる。今の例では、インターフェース・アプリケーション５０は、インターフェース装置２８および／または取引プラットフォーム１４からのコマンドに応答して表示６０を変更しうる。今の例では、インターフェース・アプリケーション５０はまた、インターフェース装置２８および／または取引プラットフォーム１４からのコマンドに応答してインターフェース装置２８および／または取引プラットフォーム１４にメッセージを送ってもよい。
【００２３】
図示した実施形態では、インターフェース・アプリケーション５０はマッピング・モジュール８０を含む。マッピング・モジュール８０は、インターフェース装置２８および／または取引プラットフォーム１４から受領された信号を、取引システム１０のコマンドとマッピングする。ある例では、取引者２４がジョイスティックを動かすこと、ボタンを押すことおよび／またはインターフェース装置２８の他の任意の操作を実行することによって信号が送られうる。今の例では、コマンドはシステム・コマンドおよび／または取引コマンドを含みうる。システム・コマンドは、たとえばカーソルを動かすために表示６０を変更するために使用されうる。取引コマンドは、たとえば取引を開始および／または処理するために、取引プラットフォーム１４にまたは取引プラットフォーム１４から通信されうる。
【００２４】
信号関係は、信号をコマンドに関連付けるために使用されうる。一例として、ある操作（ジョイスティックを動かすことなど）が一つのコマンド（カーソルを動かすなど）に関連付けられうる。もう一つの例として、複数操作（ジョイスティックを動かしかつボタンを押すなど）が一つのコマンド（取引注文要求を送るなど）に関連付けられうる。もう一つの例として、ある操作（ボタンを押すなど）は、複数コマンド（取引注文要求を送り、表示を更新するなど）に関連付けられうる。
【００２５】
取引プラットフォーム１４は、取引注文１７の処理を容易にする取引アーキテクチャを表しうる。取引プラットフォーム１４は、管理センターまたは本部オフィスにおいて、注文の取引をマネージしようとする任意の人物、企業またはエンティティのために構成されうる。取引プラットフォーム１４は、取引環境をマネージまたは経営する経営団または監督エンティティの機能を実行するために利用されうる論理、人員、装置またはエンティティの任意の好適な組み合わせを含みうる。
【００２６】
ネットワーク１６は、情報を交換するよう動作しうる通信プラットフォームを表しうる。通信ネットワークは、平凡な旧来の電話システム（POTS）、公衆電話交換網（PSTN）、公衆または私設データ・ネットワーク、構内ネットワーク（LAN）、都市圏ネットワーク（MAN）、広域ネットワーク（WAN）、インターネットのようなローカル、地域的もしくはグローバルな通信もしくはコンピュータ・ネットワーク、有線もしくは無線のネットワーク、企業イントラネット、その他の好適な通信リンクまたは上記の任意の組み合わせを含みうる。
【００２７】
本発明の範囲から外れることなく、取引システム１０に修正、追加または省略を施してもよい。取引システム１０の構成要素は、特定のニーズに従って統合され、あるいは分離されてもよい。さらに、取引システム１０の動作は、より多くのモジュール、より少ないモジュールあるいは別のモジュールによって実行されてもよい。
【００２８】
図２は、図１の取引システム１０によって生成されうるレーダー表示６０の例を示す。レーダー表示６０は、取引者指定要件部１２０およびレーダー部１２４を含みうる。取引者指定要件部１２０は取引者指定要件１２６を表示する。先述したように、取引者指定要件１２６は、ある条件が満たされた場合に取るべき行動（取引をするなど）を指定しうる。条件は、取引者の望む価格、利回り、スプレッド、取引量、その他の取引条件または上記のうちの任意のものの任意の組み合わせを述べるものであってもよい。たとえば、ある条件は、ある特定の取引商品について取引者が望む１株当たりの価格が5.00ドルであることを述べるものであってもよい。
【００２９】
図示した実施例によれば、取引者指定要件１２６ａは、５年物手形（5-year  notes）と１０年物手形との間に−21毛（bps：basis  points）のスプレッドがあれば、その利回り曲線（yield  curve）を買う（５年物手形を買って１０年物手形を売る）ことを指定する；取引者指定要件１２６ｂは、２年物手形と５年物手形との間に+19 bpsのスプレッドがあれば、その利回り曲線を買う（２年物手形を買って５年物手形を売る）ことを指定する；取引者指定要件１２６ｃは、５年物手形の価格が99.19ドルであれば５年物手形を買うことを指定する；取引者指定要件１２６ｄは、３０年物手形の価格が20.00ドルであれば３０年物手形を買うことを指定する。これらおよび／または他の例が取引者指定要件１２６をなすことができる。
【００３０】
図示した実施例によれば、レーダー部１２４は、取引者要件ブロック１３０、一つまたは複数の市場データの円１３４ならびに一つまたは複数の距離線１３６を含む。取引者要件ブロック１３０は、取引者指定要件１２６の一つ、いくつかまたは全部を表す。取引者要件ブロック１３０は、任意の好適な大きさ、形、配向および位置を有しうる。図示した実施形態によれば、取引者要件ブロック１３０は、距離線１３６の実質的に中央に位置する実質的に長方形の形を有しうる。
【００３１】
市場データの円１３４ａ〜ｄは市場データを表す。各市場データの円１３４ａ〜ｄは市場データを表しうるが、その市場データは、対応する取引者指定要件１２６ａ〜ｄが満足されうるかどうかを判定するために使うことができる。たとえば、取引者指定要件１２６は、ある取引商品を、１株当たりの市場価格が5.00ドル未満であれば、２株買うことを指定しうる。市場データの円１３４は、取引商品の１株当たりの市場価格を表しうる。図示した実施形態では、市場データの円１３４ａは取引者指定要件１２６ａに対応し、円１３４ｂは要件１２６ｂに対応し、円１３４ｃは要件１２６ｃに対応し、円１３４ｄは要件１２６ｄに対応する。
【００３２】
図示した実施例では、市場データの円１３４ａは、５年物手形の購入と１０年物手形の販売との間に-22.75のスプレッドを示し；円１３４ｂは、２年物手形の購入と５年物手形の販売との間に+18.50のスプレッドを示し；円１３４ｃは、５年物手形について99.192ドルの購入価格を示し；円１３４ｄは、３０年物手形の20という購入価格を示している。市場データの円１３４は、いかなる好適な形、大きさおよび配向を有していてもよい。図示した実施形態によれば、市場データの円１３４は実質的に楕円形をしている。
【００３３】
市場データの円１３４と取引者要件ブロック１３０との間の距離１４０は、市場データが取引者指定要件４２を満足する確率を示す。ある実施形態によれば、より短い距離１４０はより大きな確率を示しうる。一方、より長い距離１４０はより小さな確率を示しうる。たとえば、図示した実施例では、市場データの円１３４ｄは、市場データの円１３４ａより取引者要件ブロック１３０に近く、取引者指定要件１２６ｄのほうが取引者指定要件１２６ａよりも満足される可能性が高いことを示している。
【００３４】
距離線１３６は、取引者要件ブロック１３０からの距離を示しうるもので、任意の好適な形を有しうる。図示した実施形態によれば、距離線１３６は同心の長方形でありうる。
【００３５】
市場データがある特定の取引者指定要件４２を満足させる確率は、いかなる好適な仕方で決定されてもよい。ある実施形態によれば、確率は取引者指定要件と市場データとの間の差から決定されうる。一例では、二つの市場価格が取引者指定価格より高いが、一方が他方よりも取引者指定価格により近い場合、近いほうの市場価格が取引者指定価格を満足するより高い確率を有しうる。距離指標、たとえばデカルト的な距離指標が差を計算するために使用されうる。確率は重み付けおよび／または規格化されてもよい。
【００３６】
ある実施形態によれば、確率は一つまたは複数の緩和因子（mitigating  factor）を考慮に入れてもよい。緩和因子は、取引者指定要件を満足する困難を増減しうる。一例として、取引者指定要件を満足させることは、その要件がより多くの取引を要求すればより難しいことがありうる。もう一つの例として、取引者指定要件を満足させることは、その要件が取引を実行するのが難しい市場、たとえば非電子的な市場に関われば、より難しいことがありうる。満足させるのがより難しい取引者指定要件ほど小さな確率を有しうる。
【００３７】
市場データの円１３４は、市場データの円１３４によって表される市場データが変化するにつれて動きうる。たとえば、市場データが取引者指定要件を満足させるのに近づくほうに動くと、市場データの円１３４は取引者要件ブロック１３０に近づくほうに動きうる。市場データが取引者指定要件を満足させることから遠ざかるほうに動くと、市場データの円１３４は取引者要件ブロック１３０から遠ざかるほうに動きうる。
【００３８】
ある実施形態によれば、取引者要件ブロック１３０に部分的または完全に交わる取引者指定要件１２６についての市場データの円１３４は、その市場データが対応する取引者指定要件１２６を満足させることを示しうる。図示した実施例では、市場データの円１３４ｄは、市場データが取引者指定要件１２６ｄを満足させることを示している。
【００３９】
レーダー表示６０は、取引を開始するために使用されうる。取引とは、取引注文１７を出すおよび／または取引注文１７に応答する手順を指しうる。取引の例としては、ビッド、購入、オファー、販売または上記の任意のものの任意の組み合わせを実行することが含まれる。ビッド手順は、ある取引商品についてのビッドを出す；購入手順はある取引商品を購入する購入注文を出す；オファー手順は、ある取引注文についてのオファーを出す；販売手順はある取引商品を販売する販売注文を出す。
【００４０】
取引は、いかなる好適な仕方で開始されてもよい。ある実施形態によれば、取引者２４は、たとえばゲーム・コントローラ装置３６のボタンを押すことによって取引を開始しうる。一例として、取引データの円３４が取引者要件ブロック１３０内にはいり、市場データが対応する取引者指定要件１２６を満足させていることを示す。応答として、取引者２４は、ボタンを押して取引を開始しうる。もう一つの例として、ある特定の市場データの円３４は取引者要件ブロック１３０内ではないかもしれないが、取引者２４はいずれにせよ取引を開始したいことがありうる。取引者２４はゲーム・コントローラ装置３６のジョイスティックを使って取引者要件ブロック１３０をその特定の市場データの円１３４のほうに動かしてもよい。取引者要件ブロックを動かすことによって、取引者２４は市場データの円１３４についての取引者指定要件を変えうる。取引者要件ブロック１３０が特定の市場データの円１３４に到達したとき、取引者２４はボタンを押して取引を開始しうる。
【００４１】
もう一つの実施形態によれば、取引者指定要件１２６についての市場データの円１３４が取引者要件ブロック１３０に交わる場合、取引者指定要件についての取引を自動的に開始するよう規則が定義されてもよい。
【００４２】
本発明の範囲から外れることなく、レーダー表示６０に対して修正、追加または省略がなされうる。レーダー表示６０は、より多い、より少ないまたは他のデータを含んでいてもよい。さらに、データは、本発明の範囲から外れることなく、いかなる好適な仕方で配列されてもよい。
【００４３】
図３は、レーダー表示６０を生成するための方法の一例を示している。本方法は、ステップ３１０で開始される。ここでは、インターフェース・アプリケーション５０がレーダー表示６０のレーダー部１２４の表示を開始する。レーダー部１２４は、取引者指定要件１２６を表す取引者要件ブロック１３０を含む。ステップ３１６で取引者指定要件１２６ａ〜ｄの表示が開始される。ステップ３２０で市場データが受領される。ステップ３２４で市場データが取引者指定要件１２６ａ〜ｄを満足させる確率が決定される。
【００４４】
ステップ３２６で市場データの円１３４の表示が開始される。市場データの円１３４と取引者要件ブロック１３０との間の距離は、その市場データが対応する取引者指定要件１２６を満足させる確率を示しうる。たとえば、市場が、取引者指定要件１３４ａよりも取引者指定要件１３４ｄを満足させる可能性のほうが高ければ、市場データの円１３４ａよりも市場データの円１３４ｄのほうが取引者要件ブロック１３０に近いことがありうる。
【００４５】
ステップ３３０で、更新された市場データが受領されうる。更新された市場データが受領される場合、本方法はステップ３２４に戻り、更新された市場データが取引者指定要件１２６を満足させる確率が決定される。ステップ３３０で更新された市場データが受領されない場合、本方法はステップ３３４に進む。
【００４６】
ステップ３３４では、取引者要件ブロック１３０を動かす要求が取引者２４から受領されうる。ステップ３３４で要求が受領される場合、本方法はステップ３４０に進み、ここで、取引者要件ブロック１３０が動かされる。ステップ３３４で要求が受領されなければ、本方法はステップ３４４に直接進む。
【００４７】
ステップ３４４で、市場データの円１３４は、取引者要件ブロック１３０に部分的または完全に交わることがありうる。交わることは、市場データの円１３４によって表されているその市場データが取引者指定要件１２６を満足させるということを示す。ステップ３４４で交わりがあれば、本方法はステップ３４８に進む。
【００４８】
ステップ３４８では取引が開始されうる。取引は、いかなる好適な形で開始されてもよい。一例として、取引者２４は、ゲーム・コントローラ装置３６を使って取引を開始しうる。もう一つの例としては、市場データの円１３４が取引者要件ブロック１３０に交わる場合、取引が自動的に開始されることが規則によって指定されていてもよい。取引がステップ３４８で開始されるべきである場合、本方法はステップ３５２に進み、そこで取引が開始される。次いで本方法は終了する。目標１３４が取引者要件ブロック１３０内にない場合、あるいはステップ３４８で取引が開始されないべきである場合、本方法は終了する。
【００４９】
本発明の範囲から外れることなく、前記方法に修正、追加または省略が施されてもよい。本方法は、より多い、より少ない、または別のステップを含んでいてもよい。さらに、本発明の範囲から外れることなく、ステップはいかなる好適な順序で実行されてもよい。
【００５０】
本開示は、ある種の実施形態および一般に関連する諸方法の面で記述されてきたが、前記の実施形態および方法の変更および入れ換えは当業者には明らかであろう。したがって、例示的な実施形態の上記の記述は本開示を制限するものではない。他の変化、代替および変更も、付属の請求項によって定義される本開示の精神および範囲から外れることなく可能である。
【図面の簡単な説明】
【００５１】
【図１】電子商取引システムのある実施形態を示す図である。
【図２】図１のシステムにおいて使用されるレーダー表示のある例を示す図である。
【図３】レーダー表示を生成するための方法のある実施形態を示す図である。
【図１】
2008226249.tif 000003
【図２】
2008226249.tif 000004
【図３】
2008226249.tif 000005
【手続補正書】
【提出日】平成20年7月15日(2008.7.15)
【手続補正１】
【補正対象書類名】特許請求の範囲
【補正対象項目名】全文
【補正方法】変更
【補正の内容】
【特許請求の範囲】
【請求項１】
一つまたは複数の取引者指定要件に対応する取引者要件ブロックと；
各取引者指定要件についての市場データの円とを含んでおり、
市場データの円と取引者要件ブロックとの間の距離が、市場データが各取引者指定要件を満足させる確率を表す、
レーダー表示のためのグラフィカルユーザーインターフェース。
【請求項２】
前記一つまたは複数の取引者指定要件をさらに含む、請求項１記載のグラフィカルユーザーインターフェース。
【請求項３】
一つまたは複数の距離線を含み、該一つまたは複数の距離線のうちの距離線は前記取引者要件ブロックからの特定の距離を表す、請求項１または２記載のグラフィカルユーザーインターフェース。
【請求項４】
メモリに記憶された一つまたは複数の取引者指定要件と；
市場データが各取引者指定要件を満足させる個別的な確率を決定するプロセッサと；
前記一つまたは複数の取引者指定要件に対応する取引者要件ブロックを含むレーダー表示とを有するシステムであって、
各取引者指定要件について：
前記レーダー表示上に市場データの円が表示され、
前記市場データの円と前記取引者要件ブロックとの間の距離が前記個別的な確率を表す、
システム。
【請求項５】
前記一つまたは複数の取引者指定要件が前記レーダー表示上に表示される、
請求項４記載のシステム。
【請求項６】
前記一つまたは複数の取引者指定要件のうちの取引者指定要件が：
購入；
販売；
オファー；および
ビッド
のうちの少なくとも一つを実行することを指定するものである、請求項４または５に記載のシステム。
【請求項７】
前記レーダー表示がさらに：
一つまたは複数の距離線を含み、該一つまたは複数の距離線のうちの距離線は前記取引者要件ブロックからの特定の距離を表す、請求項４ないし６のうちいずれか一項記載のシステム。
【請求項８】
市場データの変化に応答して、前記レーダー表示上に表示された前記取引者要件ブロックが、前記一つまたは複数の市場データの円のうちの少なくとも一つの市場データの円に対して動く、請求項４ないし７のうちいずれか一項記載のシステム。
【請求項９】
前記プロセッサがさらに：
市場データの円が少なくとも部分的に前記取引者要件ブロックに交わることを判定し；
該判定に応答して前記市場データの円に対応する取引を開始する、
請求項４ないし８のうちいずれか一項記載のシステム。
【請求項１０】
前記プロセッサがさらに：
取引を開始する要求を受領し；
該要求に応答して前記取引を開始する、
請求項４ないし８のうちいずれか一項記載のシステム。